(57)【要約】【課題】上下に積み重ね可能に構成された蓋付きの運搬用容器において、結束バンドで蓋体と容器本体を結束した容器同士を、荷崩れさせることなく上下多段に積み重ね可能とする。【解決手段】容器本体２の底部下面に下突部２５を設け、蓋体３の頂面３１の周縁に沿って上突部３２を設けるとともに、容器本体２の下突部２５と蓋体３の上突部３２の鉛直方向対応位置であって、下突部３２の底部２１を挟んだ対向位置と、上突部３２の頂面３１を挟んだ対向位置とに、結束バンドＢが係入する凹部２５ａ、２５ｂ、３２ａ、３２ｂをそれぞれ設けて容器１を構成する。【選択図】図１
2010111401.tif 000002
【特許請求の範囲】
【請求項１】
底部下面に下突部が設けられた容器本体と、頂面の周縁に沿って上突部が設けられた蓋体からなる容器であって、容器本体の開口部に蓋体を被せた容器同士を上下に配したときに上段の容器本体の下突部が下段の蓋体の上突部の内側に嵌り込んで上下に積み重なるように構成された運搬用容器において、
容器本体の下突部と蓋体の上突部の鉛直方向対応位置であって、容器本体の下突部の前記底部を挟んで対向するそれぞれ位置と、蓋体の上突部の前記頂面を挟んで対向するそれぞれの位置に、結束バンドが係入する凹部が設けられていることを特徴とする運搬用容器。
【請求項２】
平面視矩形状の底板の四側辺に立ち上げた各側壁が底部上に折り畳まるように容器本体が形成された請求項１に記載の運搬用容器。
【請求項３】
容器本体に設けた上枠部のヒンジ部に蓋体が回動自在に連結された請求項１又は２に記載の運搬用容器。
【発明の詳細な説明】
【技術分野】
【０００１】
本発明は、雑誌や書籍、或いは食品、飲料、工業部品など様々な物品を運搬するための容器として用いられる合成樹脂製の蓋付き運搬用容器に関する。
【背景技術】
【０００２】
リターナブル容器として広く利用されているこの種の運搬用容器（以下、容器という）は、物品を容器に収納して運搬し或いは空の容器を返送する際、運搬用車両内の容器積載スペースを有効活用できるように、容器同士を上下多段に積み重ねることができるように構成されている。また、個装がされていない食料品や紙類といった塵埃や水などに対する保護が必要な物品の運搬には、蓋付きの運搬用容器が利用されている。
【０００３】
前記蓋付きの容器にあっては、物品を収納した複数の容器を運搬車両などに多段に積載した場合に、移送中の振動などで蓋の位置がずれたり蓋が外れたりして荷崩れを引き起こし易い。蓋をした容器に、ＰＰなどの合成樹脂材からなる結束バンドを巻き付けておくことで蓋を固定することができるが、巻き付けた結束バンドが邪魔になって容器の積み重ねが不安定になってしまう。また、結束バンドの表面は滑りやすく、車両へ容器を積み込むときなどの容器取り扱い中に結束バンドが容器外周面を滑って抜け落ちてしまうこともある。結束バンド同士の接触により、接触バンドが損傷することもある。
【０００４】
このような結束バンドで蓋を固定することに伴って生じる不具合を解消する容器として、例えば図１１に示されるように、容器本体１００を多段に積み重ね可能に形成するとともに、容器本体１００に被さる蓋体２００の外側周縁に結束バンドＢが係入する凹部２０１を形成しておき、物品が収納された複数の容器本体１００を多段に重ね、その最上段の容器本体１００に蓋体２００を被せた状態で、前記凹部２０１に沿って結束バンドＢを巻き付けることで、結束バンドＢがずれないようにした構成のものが知られている（例えば特許文献１参照）。
また、例えば図１２に示されるように、容器本体１００の底部１０１の四側辺に結束バンドＢが係入する凹部１０２を形成するとともに底部１０１の下面に下方へ突出した突部１０３を複数設け、また、蓋体２００の四側辺の上部に結束バンドＢが係入する突起２０２、２０２を形成しておき、物品が収納された容器本体１００に蓋体２００を被せた状態で前記各凹部１０２と突起２０２、２０２に結束バンドＢを通して巻き付けることで蓋体２００を容器本体１００に固定し、結束バンドＢを巻き付けた容器を上下に重ねた際に上段の容器本体１００の底部１０１に設けた突部１０３が下段の蓋体２００の頂面２０３に載るようにした構成の運搬用容器が知られている（例えば特許文献２参照）。
【０００５】
【特許文献１】特開２００４−２５００６０号公報
【特許文献２】特開２００１−１３９０４６号公報
【発明の開示】
【発明が解決しようとする課題】
【０００６】
前記図１１に示された容器は、結束バンドＢの巻き付け位置がずれることはないものの、結束した容器同士を多段に積み重ねると、同図（Ｂ）に示されるように、上段容器の下面に巻き付けた結束バンドＢと下段容器の上面に巻き付けた結束バンドＢとが接触して互いに干渉し、容器移送中に受ける振動や揺れで結束バンドＢ、Ｂの干渉し合う部分に外力が加わって容器を荷崩れさせたり、結束バンドＢが引き千切れたりし易かった。
また、前記図１２に示された容器は、結束バンドＢで結束した容器同士を積み重ねても上段容器の結束バンドＢと下段容器の結束バンドＢが干渉することはないが、容器本体１００の底部１０１の下面に突出させた突部１０３と蓋体２００の上部に突出させた突起２０２、２０２がともに、小さな衝撃を受けただけで割れたり折れたりするなどの破損を来し易く、リターナブル容器としての耐久性に劣るという問題があった。
【０００７】
本発明は従来技術の有するこのような問題点に鑑み、上下に積み重ね可能に構成された蓋付きの運搬用容器において、結束バンドで蓋と容器本体を結束した状態の容器同士を、荷崩れさせることなく、上下多段に安定して積み重ねることができるようにすることを課題とする。
【課題を解決するための手段】
【０００８】
前記課題を解決するため本発明は、底部下面に下突部が設けられた容器本体と、頂面の周縁に沿って上突部が設けられた蓋体からなる容器であって、容器本体の開口部に蓋体を被せた容器同士を上下に配したときに上段の容器本体の下突部が下段の蓋体の上突部の内側に嵌り込んで上下に積み重なるように構成された運搬用容器において、容器本体の下突部と蓋体の上突部の鉛直方向対応位置であって、容器本体の下突部の前記底部を挟んで対向するそれぞれ位置と、蓋体の上突部の前記頂面を挟んで対向するそれぞれの位置に、結束バンドが係入する凹部が設けられていることを特徴としている。
前記容器本体の下突部と蓋体の上突部の鉛直方向対応位置とは、容器本体に蓋体を被せた状態で結束バンドを容器本体の底部と蓋体の頂面を通るように上下鉛直向きに巻き付けたときに、容器本体の下突部内と蓋体の上突部内の結束バンドが通る位置であり、結束バンドが巻き付けられる同一鉛直面内の位置をいう。
【０００９】
これによれば、物品の運搬は、物品を収納した容器本体に蓋体を被せ、結束バンドを容器本体に形成された凹部と蓋体に形成された凹部に係入して両凹部間に亘り容器外周面に上下に掛け回して結束させ、結束した複数の容器を上下多段に積み重ねた状態で行われる。
容器を結束する結束バンドは、容器本体と蓋体のそれぞれの凹部に係合して容器表面に巻き付けられるので、容器搬送中に結束位置がずれたり容器から抜け落ちたりすることはなく、結束バンドで固定された蓋体も容器本体に被せた位置からずれることはない。結束した容器を床面に置いても、容器本体の下突部の凹部内に係入させた結束バンドは底部下面よりも若干高い位置で巻き付けられるので、結束バンドが床面に接触して損傷することはない。
また、容器は、上段容器の容器本体の下突部を下段容器の蓋体の上突部の内側に嵌め入れて上下に積み重ねられ、この際、上段容器の結束バンドと下段容器の結束バンドはそれぞれの凹部内に没入するため、積み上げた容器に移送中の揺れや振動がかかっても上下のバンド同士が接触したり干渉したりすることはなく、容器の積み重ねに支障を来たすことはない。また、積み重ねた上下の容器の結束バンド同士が接触してバンドが損傷する虞もない。
【００１０】
容器は、運搬する物品の性状や形状、大きさなどに応じた適宜な形状及び寸法に形成することができる。容器本体の底部を平面視矩形状に形成し、その周囲を囲って開口部を区画する側壁を底部上に起立及び倒伏自在に設ければ、物品を運搬した後、空の容器を折り畳んで嵩を小さくすることで、容器返送時の積載効率が向上して好ましい。
蓋体は、容器本体とは別体に形成され、物品を収納した容器本体に被せて開口部を閉鎖可能であれば、容器本体と分離自在であっても、また、例えば容器本体の上枠部に設けたヒンジ部に回動自在に連結するなどして容器本体に一体に取り付けてあっても何れでもよい。
【００１１】
容器本体の下突部と蓋体の上突部に設ける凹部は、容器移送中にバンドの結束位置がずれないように、凹部内に結束バンドが略一杯に嵌る、結束バンドの幅よりも若干大きな幅に設けることが好ましい。前記上下突部内の凹部を形成する位置は、結束バンドを容器に回し留める位置であり、容器本体に蓋体を確実に留め付けておけるように、容器の形状や大きさなどに応じて適宜に設定される。
【発明を実施するための最良の形態】
【００１２】
本発明の好適な実施形態を図面を参照して説明する。
図１は本発明の第１実施形態の容器を結束バンドで結束した状態の外観斜視図、図２は図１の容器の容器本体と蓋体の外観斜視図、図３は図１の容器の正面図、図４は本発明の第２実施形態における容器本体と蓋体の外観斜視図（Ａ）と容器本体を折り畳んだ状態の外観斜視図（Ｂ）、図５は結束バンドで結束した図４の容器の正面図、図６は本発明の第３実施形態の容器の組み立て状態（Ａ）と折り畳み状態（Ｂ）の外観斜視図、図７は図６の組み立て状態の容器の中央縦断面図、図８は結束バンドで結束した図６の容器の正面図、図９は本発明の他の実施形態であって相互に積み重ね可能に形成された大小容器の正面図と側面図、図１０は図９の大小容器を積み上げた状態の正面図と側面図である。
【００１３】
図１〜図３に示された容器１は、容器本体２とこれに着脱自在な蓋体３からなる容器であって、容器本体２に蓋体３を被せ、その外側に結束バンドＢを巻き付けて結束し、結束した容器１を上下多段に積み重ねることができるように構成されたものである。
【００１４】
より詳しくは、容器本体２は、平面視矩形状の底部２１の周囲に長手側壁２２、２２と短手側壁２３、２３を略垂直に一体に立ち上げて底部２１上に開口部２４を画成するとともに、底部２１の下面に下方へ突出した下突部２５を一体に設けて形成してあり、蓋体３は、前記開口部２４を覆う大きさを有する頂面３１の周縁に沿って上方へ突出した上突部３２を一体に設けて形成してある。容器本体２の下突部２５と容器本体３の上突部３２は、蓋体３の頂面３１上に容器本体２を載せると、上突部３２の内側に下突部２５が嵌って蓋体３上に容器本体２が位置決めされるように設けてあり、これにより容器本体２の開口部２４に蓋体３を被せた容器１同士を上下多段に積み重ねることができるようになっている。また、容器本体２同士を上下に配しても、上段の容器本体２の下突部２５が下段の容器本体２の開口部２４に嵌り込み、且つ上段の容器本体２の下突部２５の外周が下段の容器本体２の長短側壁２２、２３の上端に載って支持され、上下に積み重ねることができるようになっている。
【００１５】
また、容器本体２の下突部２５には、その底部２１を挟んで対向する両長手辺に亘って結束バンドＢが係入し得る幅だけ溝状に凹ませてなる凹部２５ａ、２５ａと、同じく対向両短手辺に亘って結束バンドＢが係入し得る幅だけ溝状に凹ませてなる凹部２５ｂ、２５ｂを設けてあり、また、蓋体３の上突部３２にも、その頂面３１を挟んで対向する両長手辺に沿った位置と両短手辺に沿った位置とに結束バンドＢが係入し得る幅の凹部３２ａ、３２ａと凹部３２ｂ、３２ｂとを設けてある。
これら各凹部は、容器本体２に蓋体３を被せた状態で、凹部２５ａと凹部３２ａ、凹部２５ｂと凹部３２ｂがそれぞれ鉛直方向に沿った対応位置となるように形成してあり、上下に位置対応する各凹部間に結束バンドＢを係入し、結束バンドＢを容器１の外周面に沿って上下に巻き付けて結束することができるようになっている。なお、容器１に巻き付けた結束バンドＢの止着は、バンド端部の溶着など適宜な止着手段により行われる。
【００１６】
このように構成された本形態の容器１によれば、物品を収納した容器本体２に蓋体３を被せ、結束バンドＢを上下突部２５、３２に形成された凹部２５ａ、３２ａと凹部２５ｂ、３２ｂに係入し、容器１に巻き付けて結束することができる。
容器１に巻き付けた結束バンドＢは、前記各凹部に係合して容器１の外周面に巻き付けてあるので、容器搬送中に結束位置がずれたり容器から抜け落ちたりすることはなく、容器１を直に床面に置いても結束バンドＢが床面に接することはない。また、結束した容器１同士を上下に積み上げても、図３に示されるように、各凹部に結束バンドＢが没入しているので、上段の容器１の結束バンドＢと下段の容器１の結束バンドＢ同士が接触したり干渉したりすることはなく、結束した容器１同士を安定して多段に積み上げておくことができる。
【００１７】
図４及び図５に示される容器１は、容器本体２がその長短側壁２２、２３を底部２１上で起立及び倒伏し得るように設け、長短側壁２２、２３を底部２１上に起立させ、組み立てた状態の容器本体２に蓋体３を被せて上下多段に積み上げ、また、長短側壁２２、２３を底部２１上に倒伏させて容器本体２を折り畳んだ状態でも、多段に積み上げて保管できるように構成されたものである。
【００１８】
より詳しくは、容器本体２は、長手側壁２２を上側板２２ａと下側板２２ｂにより形成し、両側板の上下に付き合う端部をヒンジ部２２ｃで回動自在に連結するとともに、上側板２２ａの上端を開口部２４を画成する上枠部２７の長手辺に設けたヒンジ部（図示せず）に回動自在に連結し、下側板２２ｂの下端を底部２１の長手辺に設けたヒンジ部（図示せず）に回動自在に連結し、また、短手側壁２３の上端を前記上枠部２７の短手辺に設けたヒンジ部（図示せず）に回動自在に連結して形成してあり、前記図４（Ａ）に示されるように、長短側壁２３、２４を底部２１上に起立させて容器１を組み立てた状態から、各ヒンジ部を軸に各側壁を回動させて底部２１上に折り重ねることにより、同図（Ｂ）に示されるように容器本体２を小さな嵩に折り畳めるようになっている。
【００１９】
なお、容器本体２の底部２１の下面に下方へ突出した下突部２５が一体に設けられ、組み立てた又は折り畳んだ状態の容器本体２を上下多段に積み重ねることができること、蓋体３の頂面３１の周縁に沿って上方へ突出した上突部３２が一体に設けられ、容器本体２の開口部２１に蓋体３を被せた容器１同士を上下多段に積み重ねることができること、下突部２５と上突部３２の鉛直方向対応位置に結束バンドＢが係入し得る幅の凹部２５ａ、２５ｂ、３２ａ、３２ｂが設けてある点は前記形態と同様である。
【００２０】
このように構成された本形態の容器１によっても、図５に示されるように、物品を収納した容器本体２に蓋体３を被せ、結束バンドＢを上下突部２５、３２に形成された凹部２５ａ、３２ａと凹部２５ｂ、３２ｂに係入して容器１に巻き付け、結束した容器１を積み上げた状態で、結束バンドＢ同士が接触したり干渉したりすることはない。
【００２１】
図６〜図８に示される容器１は、前記形態と同様に長短側壁２２、２３が底部２１上で起立及び倒伏し得るように構成された容器本体２の上部に蓋体３を回動自在に取り付けて構成されたものである。
より詳しくは、蓋体３は、開口部２１の半面づつを覆う大きさの一対の蓋板３ａ、３ａからなり、両蓋板の一側をそれぞれ容器本体２の上枠部２６の長手辺側上部に設けたヒンジ部２６ａに回動自在に連結し、両蓋板を回動操作することで容器本体２の開口部２１を開閉することができるようになっている。また、蓋板３ａ、３ａの周縁には上方へ突出した筋状の上突部３２が設けてあり、両蓋板を開口部２１に被せた状態でその頂面３１上に他の容器１を載せると、上段の容器本体２の底部２１の下面に設けた下突部２５が上突部３２の内側に嵌って上下に積み上げることができるようになっている。前記下突部２５と上突部３２の鉛直方向対応位置に結束バンドＢが係入し得る幅の凹部２５ａ、２５ｂ、３２ａ、３２ｂが設けてある点は前記各形態と同様である。
【００２２】
このように構成された本形態の容器１によっても、図８に示されるように、物品を収納した容器本体２に蓋体３を被せ、結束バンドＢを上下突部２５、３２に形成された凹部２５ａ、３２ａと凹部２５ｂ、３２ｂに係入して容器１に巻き付け、結束した容器１同士を、結束バンドＢを干渉させることなく、安定して多段に積み上げることが可能である。
【００２３】
図９と図１０は、前記何れかの形態の容器を、サイズを異ならせて大小二種類を形成し、それぞれの容器を結束して積み上げた態様を示している。
すなわち、図示した容器１Ａ、１Ｂは、ともに下突部２５を有する容器本体２と上突部３２を有する蓋体３からなる上下に積み重ね可能に形成された容器であり、前記上下の突部の鉛直方向対応位置に結束バンドＢが係入する凹部２５ａ、２５ｂ、３２ａ、３２ｂがそれぞれ設けてある。容器１Ｂは、その縦横の寸法を容器１Ａの１／２に設定し、閉蓋状態の高さは容器１Ａと同じに設定してある。
このようにサイズの異なる容器１Ａ、１Ｂであっても、それぞれ容器本体２に蓋体３を被せた状態でその外周に結束バンドＢを巻き付けて結束し、容器１Ａの上に容器１Ｂを載せ、さらに容器１Ａを載せるなどして多段に積み上げ、その状態で上下の各容器に巻き付けた結束バンドＢ、Ｂ同士が接触したり干渉したりすることはなく、積み上げた状態を安定的に保持して運搬や保管に供することができる。
【００２４】
なお、図示した容器本体と蓋体の形態は一例であり、本発明の容器はこれらに限定されず、容器本体に収納して運搬する物品の性状や形状、大きさなどに応じて他の適宜な形態で構成することが可能である。
【図面の簡単な説明】
【００２５】
【図１】本発明の第１実施形態の容器を結束バンドで結束した状態の外観斜視図である。
【図２】図１の容器の容器本体と蓋体の外観斜視図である。
【図３】図１の容器の側面図である。
【図４】本発明の第２実施形態における容器本体と蓋体の外観斜視図（Ａ）と容器本体を折り畳んだ状態の外観斜視図（Ｂ）である。
【図５】結束バンドで結束した図４の容器の側面図である。
【図６】本発明の第３実施形態の容器の組み立て状態（Ａ）と折り畳み状態（Ｂ）の外観斜視図である。
【図７】図６の組み立て状態の容器の中央縦断面図である。
【図８】結束バンドで結束した図６の容器の側面図である。
【図９】本発明の他の実施形態であって相互に積み重ね可能に形成された大小容器の正面図と側面図である。
【図１０】図９の大小容器を積み上げた状態の正面図と側面図である。
【図１１】従来例の容器を結束バンドで結束した状態の外観概略図（Ａ）とその縦断面図である。
【図１２】従来例の容器を結束バンドで結束した状態の外観図（Ａ）と容器本体の下部の拡大断面図である。
【符号の説明】
【００２６】
１、１Ａ、１Ｂ  容器（運搬用容器）、２  容器本体、２１  底部、２２  長手側壁、２３  短手側壁、２４  開口部、２５  下突部、２５ａ、２５ｂ  凹部、３  蓋体、３１  頂面、３２  上突部、３２ａ、３２ｂ  凹部、Ｂ  結束バンド
【図１】
2010111401.tif 000003
【図２】
2010111401.tif 000004
【図３】
2010111401.tif 000005
【図４】
2010111401.tif 000006
【図５】
2010111401.tif 000007
【図６】
2010111401.tif 000008
【図７】
2010111401.tif 000009
【図８】
2010111401.tif 000010
【図９】
2010111401.tif 000011
【図１０】
2010111401.tif 000012
【図１１】
2010111401.tif 000013
【図１２】
2010111401.tif 000014